(57)【特許請求の範囲】
【請求項１】
ヒール部材に一端部を回転自在に軸支したフットボードと、
前記フットボードの踏込操作に応じてドラムヘッドを打撃するビータと、
前記ビータを回動自在に軸支してなる支柱部材を有するフレーム部と、
一端が前記フレーム部に固定されると共に、他端が前記ヒール部材に固定され、前記フレーム部と前記ヒール部材とを連結してなるベース部材と、
前記ヒール部材の下面側に繰り出し可能に該ヒール部材に取り付けたスパイク部材と、
前記ヒール部材に被せて取り付けたカバー部材と、を備え、
前記カバー部材の下側に前記スパイク部材が配置されており、
前記スパイク部材は、前記フットボードの真下を除く位置に配置されており、前記フットボードの上面側からの操作でその繰出量の調節を行うように構成されていることを特徴とするドラム用フットペダル装置。
【請求項２】
前記カバー部材の下面には、前記スパイク部材の頭部を収容するための収容部が形成されていることを特徴とする請求項１に記載のドラム用フットペダル装置。
【請求項３】
ヒール部材に一端部を回転自在に軸支したフットボードと、
前記フットボードの踏込操作に応じてドラムヘッドを打撃するビータと、
前記ビータを回動自在に軸支してなる支柱部材を有するフレーム部と、
一端が前記フレーム部に固定されると共に、他端が前記ヒール部材に固定され、前記フレーム部と前記ヒール部材とを連結してなるベース部材と、
前記ベース部材の前記他端寄りの箇所において該ベース部材の下面側に繰り出し可能に取り付けたスパイク部材と、を備え、
前記フットボードには、上面側から見て前記スパイク部材を避けた形状からなる括れ部が形成されており、
前記括れ部を通して前記フットボードの上面側に露出した前記スパイク部材を操作することにより該スパイク部材の繰出量の調節を行うように構成されていることを特徴とするドラム用フットペダル装置。
【発明の詳細な説明】
【技術分野】
【０００１】
本発明は、フットボードの踏込操作によってビータを回動させて該ビータでドラムヘッドやバスドラムパッド（キックパッド）を打撃して発音させるドラム用フットペダル装置に関する。
【背景技術】
【０００２】
フットボードを踏み込むことによりビータを回動させて、該ビータのビータヘッドでドラムヘッドを打撃して発音させるドラム用フットペダル装置がある。従来のドラム用フットペダル装置は、例えば特許文献１に示すように、ビータが取り付けられた回転軸と、この回転軸を回動自在に枢支する左右一対の支柱と、フットペダルの先端と回転軸とを連結するチェーンなどの伝達部材とを備えている。そして、回転軸の一端または両端には、フットペダルに初期位置への復帰習性を付与するためのスプリング（張引コイルスプリング）が連結されている。スプリングは、その上端がクランクアームに回転自在に軸支されたローラーにリンク部材を介して掛け止めされ、その下端がスプリングの張力を調節するための調節用ネジの通孔に掛け止めされて連結されている。
【０００３】
上記のようなフットペダル装置では、フットボードを繰り返し踏込操作していると、設置場所の床面（設置面）に対してフットペダル装置の位置ずれが生じるおそれがある。そこで、フットペダル装置の位置ずれを防止するために、左右一対の支柱部材を有するフレーム部（前フレーム）にスパイク部材を取り付けている。このスパイク部材は、例えば特許文献２に示すように、先端部が尖状のネジなどで構成されており、先端部がフレーム部の下面側に繰り出し可能に取り付けられている。したがって、フットペダル装置を設置する際にこのスパイク部材をフレーム部の下面側に繰り出すと、設置場所の床面に敷かれたカーペットなどにスパイク部材の先端部が突き刺さることでフットペダル装置の位置ずれを防止するようになっている。また、スパイク部材の他の構成例として、フットペダル装置のヒール部の側面に取り付けたスパイク部材が収納位置と繰出位置との間で回動するように構成したものもある。
【先行技術文献】
【特許文献】
【０００４】
【特許文献１】特許第２８０６３０１号公報
【特許文献２】特開平８−９５５５７号公報
【発明の概要】
【発明が解決しようとする課題】
【０００５】
ところで、フットペダル装置では、フットボードの踏み込みによる回転方向（ここでは、フットペダル装置の設置面と平行な面内で左右に回転する方向をいう。）の力に対してフットペダル装置を設置面に保持する力（回転を防止する力）が十分ではないという問題がある。特に、左右一対のフットペダル（フットボード）を有するダブルペダル構造のフットペダル装置では、左側のフットペダルが右側のフットペダルに連結されていることで支持されている構造であるため、左側のフットペダルを保持する効果が少ない。なお、ヒール部の側面に取り付けたスパイク部材であっても同様にフットペダル装置の回転方向の位置ずれを規制する効果が少ない。
【０００６】
また、ヒール部の側面に取り付けたスパイク部材が収納位置と繰出位置との間で回動するように構成したものでは、スパイク部材の出し入れの操作に工具が必要であることや、フットペダルの上面側からの操作を容易に行うことができない構造であることで、演奏前や演奏中にスパイク部材の繰出量を調節する作業が非常に行い難いという問題がある。
【０００７】
本発明は上述の点に鑑みてなされたものであり、その目的は、スパイク部材の繰出量の調節が簡単な構造でありながら、フットボードの踏み込みによる装置の位置ずれを効果的に防止できるドラム用フットペダル装置を提供することにある。
【課題を解決するための手段】
【０００８】
上記課題を解決するため、本発明にかかるドラム用フットペダル装置は、ヒール部材（３０−２）に一端部を回転自在に軸支したフットボード（５０）と、フットボード（５０）の踏込操作に応じてドラムヘッド（Ｈ）を打撃するビータ（２）と、ビータ（２）を回動自在に軸支してなる支柱部材（２１，２２）を有するフレーム部（１０）と、一端がフレーム部（１０）に固定されると共に、他端がヒール部材（３０−２）に固定され、フレーム部（１０）とヒール部材（３０−２）とを連結してなるベース部材（２５）と、ヒール部材（３０−２）の下面側に繰り出し可能に該ヒール部材（３０−２）に取り付けたスパイク部材（１１）と、ヒール部材（３０−２）に被せて取り付けたカバー部材（３１−２）と、を備え、カバー部材（３１−２）の下側にスパイク部材（１１）が配置されており、スパイク部材（１１）は、フットボード（５０）の真下を除く位置に配置されており、フットボード（５０）の上面（５０ｃ）側からの操作でその繰出量の調節を行うように構成されていることを特徴とする。
【０００９】
本発明にかかるドラム用フットペダル装置によれば、ヒール部材の下面側に繰り出し可能に該ヒール部材に取り付けたスパイク部材を備えることで、演奏時にフットボードの踏込操作に伴う設置面に対する装置の位置ずれが生じることを簡単かつ効果的に防止することができる。特に、スパイク部材を支柱部材を有するフレーム部ではなくヒール部材に取り付けたことで、フットボードの踏込操作による回転方向の力に対してフットペダル装置を設置面に保持する力を効果的に発揮することができる。また、本発明によれば、演奏中など通常のフットペダル装置の使用状態ではスパイク部材がカバー部材の下側に格納された状態となっているので、演奏中などにはスパイク部材が邪魔にならずに済む。その一方で、スパイク部材を繰り出してフットペダル装置を設置面に固定する際には、カバー部材を取り外せば直ぐにスパイク部材を露出させることができ、スパイク部材の操作を行うことができる。したがって、簡単な構成で、演奏時の利便性とフットペダル装置の設置作業の迅速化との両立を図ることができる。
【００１０】
また、スパイク部材は、フットボードの真下を除く位置に配置されており、フットボードの上面側からの操作でその繰出量の調節を行うように構成されていることで、ドラムの演奏者が演奏前や演奏中にスパイク部材の繰出量を調節することが容易に行えるようになる。したがって、演奏前や演奏中にフットペダル装置の位置ずれを防止することが簡単かつ確実に行えるようになる。
【００１１】
本発明の別の観点に従うドラム用フットペダル装置は、ヒール部材（３０）に一端部を回転自在に軸支したフットボード（５０）と、フットボード（５０）の踏込操作に応じてドラムヘッド（Ｈ）を打撃するビータ（２）と、ビータ（２）を回動自在に軸支してなる支柱部材（２１，２２）を有するフレーム部（１０）と、一端がフレーム部（１０）に固定されると共に、他端がヒール部材（３０）に固定され、フレーム部（１０）とヒール部材（３０）とを連結してなるベース部材（２５）と、ベース部材（２５）の前記他端寄りの箇所において該ベース部材（２５）の下面側に繰り出し可能に取り付けたスパイク部材（１１）と、を備え、前記フットボード（５０）には、上面側から見て前記スパイク部材（１１）を避けた形状からなる括れ部（５１）が形成されており、括れ部（５１）を通して前記フットボード（５０）の上面側に露出した前記スパイク部材（１１）を操作することにより該スパイク部材（１１）の繰出量の調節を行うように構成されていることを特徴とする。
【００１２】
この構成によれば、演奏時のフットボードの踏込操作に伴うフットペダル装置の設置面に対する位置ずれを効果的に防止することができると共に、フットボードの踏み込みによる回転方向の力に対してフットペダル装置を設置面に保持する力を効果的に発揮することができるものであり、特に、スパイク部材をベース部材の前記他端寄りの箇所（つまり、ヒール部材寄りの箇所、すなわち、ベース部材の後端部の近傍）に取り付けたことで、フットペダル装置のヒール部材がフットボードの前端部側を支点（中心）として左右方向に回動することが防止され、力の加わるヒール部材周辺でのフットペダル装置の位置ずれを効果的に防止できる。また、上面側から見てスパイク部材を避けた形状からなる括れ部がフットボードに形成され、この括れ部を通してフットボードの上面側に露出したスパイク部材を操作するように構成されているので、ドラムの演奏者が演奏前や演奏中にフットボードの上面側からスパイク部材の繰出量を調節することが容易に行えるようになる。また、踏込操作によって下降するフットボードがスパイク部材と干渉することを確実に防止できる。したがって、フットペダル装置の操作性を向上させることができる。さらには、このような括れ部をフットボードに形成することで、スパイク部材をベース部材の前記他端寄りの箇所に取り付け易くなる。
【００１５】
また、本発明では、カバー部材（３１−２）の下面（３１ｄ）には、スパイク部材（１１）の頭部（１１ａ）を収容するための収容部（３１ｆ）が形成されていてよい。この構成によれば、カバー部材をヒール部材に被せて取り付けるだけでスパイク部材をカバー部材の下側に確実に収容することができる。
【００１６】
なお、上記の括弧内の符号は、後述する実施形態における構成要素の符号を本発明の一例として示したものである。
【発明の効果】
【００１７】
本発明にかかるドラム用フットペダル装置によれば、スパイク部材の繰出量の調節が簡単な構造でありながら、フットボードの踏込操作による装置の位置ずれを効果的に防止できる。
【図面の簡単な説明】
【００１８】
【図１】本発明の一実施形態にかかるドラム用フットペダル装置を示す側面図である。
【図２】フットペダル装置を示す正面図である。
【図３】ヒール部材及びベース部材とフットボードの一部を示す斜視図である。
【図４】ヒール部材及びベース部材とフットボードを上面側から見た概略図である。
【図５】スパイク部材の詳細を示す側面図（一部断面図）である。
【図６】スパイク部材の繰出量の調節手順を説明するための図である。
【図７】第２実施形態にかかるフットペダル装置のヒール部を示す部分拡大斜視図である。
【図８】第２実施形態にかかるフットペダル装置のヒール部の側面図である。
【発明を実施するための形態】
【００１９】
以下、添付図面を参照して本発明の実施形態を詳細に説明する。
〔第１実施形態〕
図１は、本発明の一実施形態にかかるドラム用フットペダル装置の全体構成を示す側面図、図２は、ドラム用フットペダル装置の正面図である。図１及び図２に示すドラム用フットペダル装置１は、設置場所の床面（設置面）に設置されるフレーム部（前フレーム）１０と、フレーム部１０の後側にベース部材２５を介して連結されたヒール部材（ヒール部）３０とを備えて構成されている。フレーム部１０は、基部２０と、基部２０の上部に立設された左右一対の支柱部材２１，２２とを備えている。基部２０にはバスドラムＢのフープＲを挾持するクランプ金具２６と、このクランプ金具２６をフープＲに押し付けるフープ固定ねじ２７が取り付けられている。フープ固定ねじ２７を締め込むことにより、クランプ金具２６が基部２０の前端部２０ａと共にバスドラムＢのフープＲを挟み込み、フットペダル装置１をバスドラムＢに固定する。
【００２０】
左右一対の支柱部材２１，２２の上端部には回動軸３５が枢支されている。回動軸３５の軸方向の中央部にはロッカ３６が取り付けられ、両端部は支柱部材２１，２２の上端部に組み込まれた軸受４１，４２によって軸支されている。ロッカ３６には、バスドラムＢのドラムヘッドＨを打撃するビータヘッド２がビータロッド３を介して取り付けられるとともに、フットボード５０の踏込力をビータヘッド２に伝達する連結部材５５の上端が固定されている。ビータロッド３の根元部は、ロッカ３６に設けられた通孔３６ａに摺動自在に嵌挿され、かつボルト３７によって固定されている。ボルト３７を緩めてビータロッド３の長さを調整すると、ビータヘッド２によるドラムヘッドＨの打面高さを変えることができる。連結部材５５として、本実施形態では金属製のチェーンを用いた例を示したが、これ以外にも皮革または合成樹脂製のバンド等を用いてもよい。
【００２１】
フットボード５０は、足を載せるに十分な大きさの平板によって形成され、前端部５０ａが連結部材５５の下端部に連結され、後端部５０ｂがヒール部材３０に回転軸３０ａを介して上下方向に回動自在に連結されている。
【００２２】
また、フットボード５０は、コイルスプリング６０の付勢力で図１において反時計方向の復帰習性が付与されている。コイルスプリング６０は、一方の支柱部材２１の外側面に沿って配設されており、上フック６０ａが回動軸３５の一端部に取り付けられたアーム部材３８の先端に形成した通孔３８ａに係止され、下フック６０ｂが支柱部材２１の下端部にの近傍に突設された取付部２３に張力調節機構１００を介して連結されている。
【００２３】
張力調節機構１００は、コイルスプリング６０の下端に取り付けた調節用ネジ６５と、調節用ネジ６５をその回転により上下動させる調節用ナット７０と、調節用ナット７０の緩みを防止するロック用ナット８５とを備えて構成されている。調節用ネジ６５の上端部には挿通孔６５ａが形成されており、この挿通孔６５ａにコイルスプリング６０の下フック６０ｂが係入されている。調節用ネジ６５の下端部には調節用ナット７０が螺合している。
【００２４】
調節用ナット７０を締め付け方向へ回転させると、調節用ネジ６５を取付部２３に対して下側へ移動させることができ、調節用ナット７０を緩める方向へ回転させると、調節用ネジ６５を取付部２３に対して上側へ移動させることができる。このようにして、調節用ナット７０を回転させることで調節用ネジ６５の高さ位置（取付部２３に対する高さ位置）を調節することで、コイルスプリング６０の付勢力でフットボード５０に作用する力を調節する。調節が済んだらその位置でロック用ナット８５を締め付けて調節用ネジ６５及び調節用ナット７０の位置を固定する。
【００２５】
上記構成のドラム用フットペダル装置１において、フットボード５０を足で踏み込むと、連結部材５５が引き下げられるため、ロッカ３６が回動軸３５と一体に回動し、ビータヘッド２がバスドラムＢのドラムヘッドＨを打撃する。打撃後、フットボード５０から踏込力を解除すると、回動軸３５がコイルスプリング６０の張力によって打撃時とは反対方向に回動するため、ビータヘッド２およびフットボード５０は初期位置に復帰し、次の打撃操作を可能にする。
【００２６】
図３は、ヒール部材３０及びベース部材２５とフットボード５０の一部を示す斜視図である。また、図４は、ヒール部材３０及びベース部材２５とフットボード５０を上面側から見た概略図である。ヒール部材３０は、左右の側壁３３の間の部分が略矩形状に窪んだ凹部３４になっており、凹部３４に被せて取り付けたカバー部材３１を備えている。カバー部材３１は、ゴムなど材料で構成された一体成型品であり、凹部３４に沿う外形を有し、その上面３１ｃが傾斜面状に形成された部材である。
【００２７】
そして、本実施形態のフットペダル装置１は、ベース部材２５にその下面２５ｄ側に繰り出し可能に取り付けたスパイク部材１１を備えている。スパイク部材１１は、ベース部材２５の後端部２５ｂの近傍における幅方向の両側に１個ずつが取り付けられている。
【００２８】
図５は、スパイク部材１１の詳細を示す側面図（一部断面図）である。同図に示すように、スパイク部材１１は、指で摘んで操作するための頭部１１ａと、該頭部１１ａから下側に延びる軸部１１ｂと一体にを備えている。軸部１１ｂの外周面にはネジが形成されており、先端部（下端部）１１ｃは先尖状になっている。ベース部材２５の上面２５ｃにおける後端部２５ｂの両側（幅方向の両側）には、上方に突出する突起状の台座部２８が設けられている。台座部２８の上面２８ｃは、ベース部材２５の後側から前側に向かって次第に高さ位置が高くなる（ベース部材２５の上面２５ｃからの突出量が多くなる）ように傾斜平面状に形成されている。そして、台座部２８には、その上面２８ｃ側から下面２８ｄ側に貫通する貫通孔からなるネジ孔２８ｆが形成されており、ベース部材２５のネジ孔２８ｆに対応する位置には、ネジ孔２８ｆよりも径寸法が大きい貫通孔２５ｆが形成されている。ネジ孔２８ｆは、その軸方向がベース部材２５の前後に傾斜しており、台座部２８の上面２８ｃとネジ孔２８ｆの軸方向とが互いに直交している。また、スパイク部材１１の軸部１１ｂの外周に設置したスプリング（コイルスプリング）１２が頭部１１ａと台座部２８の上面２８ｃとの間に介在した状態で、軸部１１ｂが台座部２８のネジ孔２８ｆに螺合している。
【００２９】
図６は、スパイク部材１１の繰出量の調節手順を説明するための図である。上記構成のスパイク部材１１は、頭部１１ａを回して軸部１１ｂをネジ孔２８ｆに対して上下に移動させることで、軸部１１ｂの先端部１１ｃをベース部材２５の下面２５ｄから出し入れすることができる。したがって、フットペダル装置１の運搬時などには、図６（ａ）に示すように、スパイク部材１１の先端部１１ｃが貫通孔２５ｆの内部に納まる位置までネジを緩める方向に回しておく。これにより、スパイク部材１１の先端部１１ｃがベース部材２５の下面２５ｄ側に突出しないので、先尖状の先端部１１ｃが邪魔にならずに済む。その一方で、フットペダル装置１を設置場所に設置する際には、フットペダル装置１を床面Ｌに載置した状態でネジを締める向きに頭部１１ａを回すことで、図６（ｂ）に示すように、スプリング１２の付勢力に抗してスパイク部材１１を下方に移動させる。これにより、スパイク部材１１の先端部１１ｃをベース部材２５の下面２５ｄから突出させることができる。ベース部材２５の下面２５ｄから突出したスパイク部材１１の先端部１１ｃが床面Ｌのカーペットなどに突き刺さることで、床面Ｌに対するフットペダル装置１の位置決め（固定）がなされる。
【００３０】
図４に示すように、左右のスパイク部材１１は、フットボード５０の括れ部５１に対応する位置に配置されている。これにより、フットボード５０は、該フットボード５０の上面５０ｃ側から見てスパイク部材１１を避けた形状に形成されている。そして、スパイク部材１１は、フットボード５０の真下を除く位置に配置されており、フットボード５０の上面５０ｃ側からの操作でその繰出量の調節を行うことができるように構成されている。
【００３１】
本実施形態のフットペダル装置１によれば、ベース部材２５にその下面２５ｄ側に繰り出し可能に設けたスパイク部材１１を取り付けたことで、演奏時のフットボード５０の踏込操作に伴うフットペダル装置１の設置面に対する位置ずれを効果的に防止することができる。特に、スパイク部材１１をフレーム部１０ではなくベース部材２５に取り付けたことで、フットボード５０の踏み込みによる回転方向の力に対してフットペダル装置１を設置面に保持する力を効果的に発揮することができる。さらに、スパイク部材１１をベース部材２５の後端部２５ｂの近傍に取り付けたことで、フットペダル装置１のヒール部材３０がフットボード５０の前端部５０ａ側を支点とする回転方向（左右方向）に位置ずれすることを効果的に防止できる。
【００３２】
また、フットボード５０は、その上面５０ｃ側から見てスパイク部材１１を避けた形状に形成されている。これにより、スパイク部材１１は、フットボード５０の真下を除く位置に配置されており、フットボード５０の上面５０ｃ側からの操作でその繰出量の調節を行うように構成されている。これにより、ドラムの演奏者が演奏前や演奏中にスパイク部材１１の繰出量を調節することが容易に行えるようになる。したがって、演奏前や演奏中にフットペダル装置１の位置ずれを防止することが簡単かつ確実に行えるようになる。また、踏込操作によって下降するフットボード５０がスパイク部材１１と干渉することを確実に防止できる。したがって、フットペダル装置１の操作性を向上させることができる。
【００３３】
〔第２実施形態〕
次に、本発明の第２実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。
【００３４】
図７は、本発明の第２実施形態にかかるドラム用フットペダル装置１−２のヒール部材３０−２を示す部分拡大斜視図である。また、図８は、ヒール部材３０−２の側面図である。なお、図７では、後述するカバー部材３１−２をヒール部材３０−２の凹部３４から取り外した状態を示している。
【００３５】
第１実施形態のフットペダル装置１では、スパイク部材１１をベース部材２５に取り付けていたのに対して、本実施形態のフットペダル装置１−２では、スパイク部材１１をヒール部材３０−２に取り付けている。すなわち、ヒール部材３０−２の凹部３４の底壁３２にスパイク部材１１が取り付けられている。スパイク部材１１は、幅方向に２個が並べて設置されている。スパイク部材１１を設けた底壁３２には、第１実施形態と同様、傾斜面状の上面２８ｃを有する台座部２８が設けられている。スパイク部材１１は、台座部２８のネジ孔２８ｆに螺合してその先端部１１ｃが底壁３２の貫通孔３４ｆから下面側に突出可能となっている。
【００３６】
また、本実施形態のフットペダル装置１−２は、ヒール部材３０−２の凹部３４に被せて取り付けたカバー部材３１−２の下面３１ｄ側にスパイク部材１１を配置している。そのため、カバー部材３１−２の下面３１ｄには、スパイク部材１１の頭部１１ａを収容するための収容部３１ｆが形成されている。収容部３１ｆは、カバー部材３１−２の下面３１ｄに開口する箱型の窪みからなる。したがって、ヒール部材３０−２の凹部３４にカバー部材３１−２を取り付けた状態で、スパイク部材１１の頭部１１ａがカバー部材３１−２の収容部３１ｆに収容される。
【００３７】
本実施形態のフットペダル装置１−２によれば、演奏中など通常のフットペダル装置１−２の使用状態では、スパイク部材１１がカバー部材３１−２の収容部３１ｆ内に収容された状態となっているので、運搬時や演奏中などにはスパイク部材１１が邪魔にならずに済む。その一方で、スパイク部材１１を繰り出してフットペダル装置１−２を設置面Ｌに固定する際には、ヒール部材３０−２に取り付けてあるカバー部材３１−２を取り外せば、直ぐにスパイク部材１１の頭部１１ａを露出させることができ、スパイク部材１１の繰出量の調節を行うことができる。したがって、簡単な構成で、運搬時や演奏時の利便性とフットペダル装置１−２の設置作業の迅速化との両立を図ることができる。
【００３８】
また、カバー部材３１−２の下面３１ｄにスパイク部材１１の頭部１１ａを収容するための収容部３１ｆが形成されていることで、カバー部材３１−２をヒール部材３０−２に被せて取り付けるだけで、スパイク部材１１をカバー部材３１−２の下側に確実に収容することができる。
【００３９】
なお、図示は省略するが、カバー部材３１−２の上面に、演奏時に邪魔にならない（演奏の妨げにならない）程度の孔（貫通孔）を形成しておき、当該孔を介してスパイク部材１１の頭部を回すことができるように構成しておくことも可能である。これによれば、カバー部材３１−２を取り外すことなくスパイク部材１１の繰出量の調節を行うことができるので、迅速にスパイク部材１１の繰出量の調節を行うことができ、フットペダル装置１−２の設置作業の更なる効率化を図ることができる。
【００４０】
以上、本発明の実施形態を説明したが、本発明は、上記実施形態に限定されるものではなく、特許請求の範囲、及び明細書と図面に記載された技術的思想の範囲内において種々の変形が可能である。例えば、上記実施形態（第１実施形態）では、スパイク部材１１をベース部材２５の後端部２５ｂの近傍に取り付けた場合を示したが、本発明にかかるスパイク部材は、ベース部材における他の位置に取り付けることも可能である。また、取り付けるスパイク部材の数は２個には限らず、他の個数であってもよい。さらに、スパイク部材の具体的な形状は上記実施形態に示すものには限定されず、他の形状であってもよい。
【００４１】
また、上記の実施形態では、本発明にかかるドラム用フットペダル装置として、アコースティックドラムのバスドラムを打撃するためのフットペダルを説明したが、本発明にかかるドラム用フットペダル装置は、電子ドラムのバスドラムパッドを打撃するためのフットペダルに適用することも可能である。
【符号の説明】
【００４２】
１…ドラム用フットペダル装置，２…ビータヘッド，３…ビータロッド，１０…フレーム部，１１…スパイク部材，１１ａ…頭部，１１ｂ…軸部，１１ｃ…先端部，１２…スプリング，２０…基部，２０ａ…前端部，２１，２２…支柱部材，２３…取付部，２５…ベース部材，２５ｂ…後端部，２５ｃ…上面，２５ｄ…下面，２５ｆ…貫通孔，２６…クランプ金具，２７…フープ固定ねじ，２８…台座部，２８ｃ…上面，２８ｄ…下面，２８ｆ…ネジ孔，３０…ヒール部材，３０ａ…回転軸，３１…カバー部材，３１ｃ…上面，３１ｄ…下面，３１ｆ…収容部，３２…底壁，３３…側壁，３４…凹部，３４ｆ…貫通孔，３５…回動軸，３６…ロッカ，３６ａ…通孔，３７…ボルト，３８…アーム部材，３８ａ…通孔，４１，４２…軸受，５０…フットボード，５０ａ…前端部，５０ｂ…後端部，５０ｃ…上面，５１…括れ部，５５…連結部材，６０…コイルスプリング，６０ａ…上フック，６０ｂ…下フック，６５…調節用ネジ，６５ａ…挿通孔，７０…調節用ナット，８５…ロック用ナット，１００…張力調節機構
【図１】
0006690174.tif 000002
【図２】
0006690174.tif 000003
【図３】
0006690174.tif 000004
【図４】
0006690174.tif 000005
【図５】
0006690174.tif 000006
【図６】
0006690174.tif 000007
【図７】
0006690174.tif 000008
【図８】
0006690174.tif 000009